(57)【特許請求の範囲】
【請求項１】
操作者により設定される複数のパラメータに従って、医用画像の撮影、生成、及び表示を行う医用画像撮影装置であって、
前記複数のパラメータを複数のグループに分類し、各パラメータの値の入力を受け付けるパラメータ設定欄を表示するグループ別パラメータ設定手段と、
いずれかのパラメータが選択パラメータとして選択されると、前記選択パラメータに関連する関連パラメータの設定欄を前記パラメータ設定欄と同じ表示画面内に表示する関連パラメータ表示手段と、
前記選択パラメータの値を基準として考慮した前記関連パラメータの候補値、設定可能範囲、または推奨値と、前記関連パラメータの値を基準として考慮した前記選択パラメータの候補値、設定可能範囲、または推奨値とを明示する候補値表示手段と、
を備えることを特徴とする医用画像撮影装置。
【請求項２】
前記グループ別パラメータ設定手段によって設定されたパラメータの値に基づいて、ジェネレータオーバーロードとなるか否かを判定する判定手段と、
ジェネレータオーバーロードとなる場合は、所定のパラメータの値をジェネレータオーバーロードを回避する値に修正する修正手段と、
前記修正手段により修正されたパラメータとその値を通知する通知手段と、
を更に備えることを特徴とする請求項１に記載の医用画像撮影装置。
【請求項３】
前記グループ別パラメータ設定手段によって設定されたパラメータに基づいて実施される撮影の進行に伴って、所定の音声パターンを出力する音声出力手段と、
撮影前、前記音声パターンの出力タイミング、出力時間、及び出力メッセージを示すタイムチャートを表示するタイムチャート表示手段と、
を更に備えることを特徴とする請求項１又は請求項２に記載の医用画像撮影装置。
【請求項４】
操作者により設定される複数のパラメータに従って、医用画像の撮影、生成、及び表示を行う医用画像撮影装置であって、
前記複数のパラメータを複数のグループに分類し、各パラメータの値の入力を受け付けるパラメータ設定欄を表示するグループ別パラメータ設定手段と、
いずれかのパラメータが選択パラメータとして選択されると、前記選択パラメータに関連する関連パラメータの設定欄を前記パラメータ設定欄と同じ表示画面内に表示する関連パラメータ表示手段と、
前記グループ別パラメータ設定手段によって設定されたパラメータの値に基づいて、ジェネレータオーバーロードとなるか否かを判定する判定手段と、
ジェネレータオーバーロードとなる場合は、所定のパラメータの値をジェネレータオーバーロードを回避する値に修正する修正手段と、
前記修正手段により修正されたパラメータとその値を通知する通知手段と、
を更に備えることを特徴とする医用画像撮影装置。
【請求項５】
操作者により設定される複数のパラメータに従って、医用画像の撮影、生成、及び表示を行う医用画像撮影装置であって、
前記複数のパラメータを複数のグループに分類し、各パラメータの値の入力を受け付けるパラメータ設定欄を表示するグループ別パラメータ設定手段と、
いずれかのパラメータが選択パラメータとして選択されると、前記選択パラメータに関連する関連パラメータの設定欄を前記パラメータ設定欄と同じ表示画面内に表示する関連パラメータ表示手段と、
前記グループ別パラメータ設定手段によって設定されたパラメータに基づいて実施される撮影の進行に伴って、所定の音声パターンを出力する音声出力手段と、
撮影前、前記音声パターンの出力タイミング、出力時間、及び出力メッセージを示すタイムチャートを表示するタイムチャート表示手段と、
を更に備えることを特徴とする医用画像撮影装置。
【発明の詳細な説明】
【技術分野】
【０００１】
本発明は、医用画像撮影装置におけるパラメータの設定に関する。
【背景技術】
【０００２】
従来から、例えばＸ線ＣＴ（ｃｏｍｐｕｔｅｄ  ｔｏｍｏｇｒａｐｈｙ）装置やＭＲＩ（ｍａｇｎｅｔｉｃ  ｒｅｓｏｎａｎｃｅ  ｉｍａｇｉｎｇ）装置、超音波診断装置といった各種医用画像撮影装置では、操作者が設定した撮影条件に従って撮影動作が行われる。しかし医用画像撮影装置においては設定する撮影条件の種類が多く設定作業は煩雑となり、時間がかかっていた。これに関して、例えば特許文献１には各処理に用いるパラメータについての関連性の有無を記憶しておき、あるパラメータについて変更指令が出されると、そのパラメータに関連するパラメータを読み出して表示させ、別の処理内の関連するパラメータの変更を行いやすくする監視制御装置について記載されている。
また、特許文献２に示す磁気共鳴イメージング装置（ＭＲＩ装置）では、相互に関連する複数のパラメータの相関に基づいて各パラメータの設定可能範囲を演算して表示し、操作者が容易にパラメータを設定できるようにしている。
【先行技術文献】
【特許文献】
【０００３】
【特許文献１】特開平９−１１４５１７号公報
【特許文献２】特許３３３５３８１号公報
【発明の概要】
【発明が解決しようとする課題】
【０００４】
しかしながら、特許文献１では、変更対象とするパラメータ間の関連性は表示されるが、関連するパラメータの設定可能範囲までは提示されていなかった。従って、関連するパラメータについては操作者が適切な設定値を考える必要があり、熟練を要するとともに作業負担が大きく、また人為的なミスも生じやすいという問題があった。また、特許文献２のように、変更対象とするパラメータやパラメータの関連性に基づいてパラメータの設定可能範囲を表示する際に、操作者にとって見やすく操作しやすい操作画面を提供することが望まれている。
【０００５】
本発明は、以上の問題点に鑑みてなされたものであり、医用画像撮影装置におけるパラメータ値の設定操作の煩雑さを軽減し、操作しやすい操作環境を提供することを目的としている。
【課題を解決するための手段】
【０００６】
前述した目的を達成するために第１の発明は、操作者により設定される複数のパラメータに従って、医用画像の撮影、生成、及び表示を行う医用画像撮影装置であって、前記複数のパラメータを複数のグループに分類し、各パラメータの値の入力を受け付けるパラメータ設定欄を表示するグループ別パラメータ設定手段と、いずれかのパラメータが選択パラメータとして選択されると、前記選択パラメータに関連する関連パラメータの設定欄を前記パラメータ設定欄と同じ表示画面内に表示する関連パラメータ表示手段と、前記選択パラメータの値を基準として考慮した前記関連パラメータの候補値、設定可能範囲、または推奨値と、前記関連パラメータの値を基準として考慮した前記選択パラメータの候補値、設定可能範囲、または推奨値とを明示する候補値表示手段と、を備えることを特徴とする医用画像撮影装置である。
第２の発明は、操作者により設定される複数のパラメータに従って、医用画像の撮影、生成、及び表示を行う医用画像撮影装置であって、前記複数のパラメータを複数のグループに分類し、各パラメータの値の入力を受け付けるパラメータ設定欄を表示するグループ別パラメータ設定手段と、いずれかのパラメータが選択パラメータとして選択されると、前記選択パラメータに関連する関連パラメータの設定欄を前記パラメータ設定欄と同じ表示画面内に表示する関連パラメータ表示手段と、前記グループ別パラメータ設定手段によって設定されたパラメータの値に基づいて、ジェネレータオーバーロードとなるか否かを判定する判定手段と、ジェネレータオーバーロードとなる場合は、所定のパラメータの値をジェネレータオーバーロードを回避する値に修正する修正手段と、前記修正手段により修正されたパラメータとその値を通知する通知手段と、を更に備えることを特徴とする医用画像撮影装置である。
第３の発明は、操作者により設定される複数のパラメータに従って、医用画像の撮影、生成、及び表示を行う医用画像撮影装置であって、前記複数のパラメータを複数のグループに分類し、各パラメータの値の入力を受け付けるパラメータ設定欄を表示するグループ別パラメータ設定手段と、いずれかのパラメータが選択パラメータとして選択されると、前記選択パラメータに関連する関連パラメータの設定欄を前記パラメータ設定欄と同じ表示画面内に表示する関連パラメータ表示手段と、前記グループ別パラメータ設定手段によって設定されたパラメータに基づいて実施される撮影の進行に伴って、所定の音声パターンを出力する音声出力手段と、撮影前、前記音声パターンの出力タイミング、出力時間、及び出力メッセージを示すタイムチャートを表示するタイムチャート表示手段と、を更に備えることを特徴とする医用画像撮影装置である。

【発明の効果】
【０００７】
本発明により、医用画像撮影装置におけるパラメータ値の設定操作の煩雑さを軽減し、操作しやすい操作環境を提供できる。
【図面の簡単な説明】
【０００８】
【図１】Ｘ線ＣＴ装置１全体のハードウエアブロック図
【図２】スキャンプロトコル管理テーブル５の一例
【図３】グループ別パラメータテーブル６の一例
【図４】関連パラメータテーブル７の一例
【図５】パラメータ管理テーブル８の一例
【図６】パラメータ値候補定義ファイル９の一例
【図７】撮影条件設定処理の流れを説明するフローチャート
【図８】撮影条件設定の各段階で表示される表示画面の例
【図９】被曝線量を考慮した撮影条件設定処理の流れを説明するフローチャート
【図１０】被曝線量を考慮した候補データ表示画面２１の一例
【図１１】ジェネレータオーバーロードを考慮した撮影条件設定処理の流れを説明するフローチャート
【図１２】撮影条件設定時に表示される自動音声出力タイミングを示すためのタイムチャート４１の一例
【発明を実施するための形態】
【０００９】
以下、添付図面を参照しながら、本発明の好適な実施形態について詳細に説明する。
なお、以下の実施形態では、本発明に係る医用画像撮影装置の一例としてＸ線ＣＴ装置１について説明するが、これに限定されない。本発明は、ＭＲＩ装置、Ｘ線診断装置、透視撮影装置、ＳＰＥＣＴ装置、ＰＥＴ装置等の様々な医用画像撮影装置に適用できる。
【００１０】
［第１の実施の形態］
まず、図１を参照して、本実施の形態のＸ線ＣＴ装置１の構成について説明する。
【００１１】
図１に示すように、Ｘ線ＣＴ装置１は、スキャナ２と、寝台３と、操作卓４とを備えて構成される。
Ｘ線ＣＴ装置１は、寝台３上に固定される被検体６０をスキャナ２の開口部２０４に搬入してスキャンすることにより、被検体６０を透過するＸ線量データを投影データとして取得する。
【００１２】
スキャナ２は、ガントリ部２００とシステム制御部２２０とを備える。ガントリ部２００は、Ｘ線管２０１、Ｘ線制御装置２０２、コリメータ２０３、開口部２０４、Ｘ線検出器２０５、データ収集装置２０６、回転板２０７、寝台制御装置３０１、及びガントリ制御装置２０９から構成される。システム制御部２２０は、システム制御装置２２１、画像演算装置２２２、及び記憶装置２２３から構成される。
【００１３】
Ｘ線管２０１はＸ線源であり、Ｘ線制御装置２０２により制御されて被検体６０に対してＸ線を連続的または断続的に照射する。Ｘ線制御装置２０２は、システム制御装置２２１からの制御信号に従って、Ｘ線管２０１に印加または供給するＸ線管電圧（ｋＶ）及びＸ線管電流（ｍＡ）を制御する。コリメータ２０３は、Ｘ線管２０１から放射されたＸ線を、例えばコーンビーム（円錐形または角錐形ビーム）等のＸ線として被検体６０に照射させるものであり、開口幅は図示しないコリメータ制御装置により制御される。被検体６０を透過したＸ線はＸ線検出器２０５に入射する。
【００１４】
Ｘ線検出器２０５は、例えばシンチレータとフォトダイオードの組み合わせによって構成されるＸ線検出素子群をチャネル方向（周回方向）に例えば１０００個程度、列方向（体軸方向）に例えば１〜３２０個程度配列したものであり、被検体６０を介してＸ線管２０１に対向するように配置される。Ｘ線検出器２０５はＸ線管２０１から放射されて被検体６０を透過したＸ線を検出し、検出した透過Ｘ線データをデータ収集装置２０６に出力する。
【００１５】
データ収集装置２０６は、Ｘ線検出器２０５に接続され、Ｘ線検出器２０５の個々のＸ線検出素子により検出される透過Ｘ線量を収集し、ディジタルデータに変換し、投影データとしてシステム制御装置２２１に順次出力する。
回転板２０７には、Ｘ線管２０１、コリメータ２０３、Ｘ線検出器２０５、データ収集装置２０６が搭載される。回転板２０７は、ガントリ制御装置２０９によって制御される回転板駆動装置から、駆動伝達系を通じて伝達される駆動力によって回転される。
【００１６】
寝台３は、被検体６０が載置される天板、上下動装置、及び天板駆動装置から構成され、寝台制御装置３０１に接続される。寝台制御装置３０１は、上下動装置を制御して寝台３の高さを適切なものにする。また、天板駆動装置を制御して天板を体軸方向に前後動したり、体軸と垂直方向であって、かつ天板に平行な方向（左右方向）に移動したりする。これにより、被検体６０がスキャナ２のＸ線照射空間に搬入及び搬出される。
【００１７】
システム制御部２２０のシステム制御装置２２１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成される。
システム制御装置２２１は、操作卓制御装置４０１において操作者から入力された撮影条件（パラメータ）に従って、Ｘ線制御装置２０２、寝台制御装置３０１、ガントリ制御装置２０９、画像演算装置２２２、操作卓制御装置４０１の各部を制御し、投影データの取得、医用画像の生成及び表示に関する各種処理を行う。本実施の形態における撮影条件の設定に関しては後述する。
【００１８】
画像演算装置２２２は、データ収集装置２０６が収集した投影データ２２４に対して、対数変換、感度補正等の前処理を施し、前処理された投影データ２２４を用いて被検体６０の断層像を再構成する。画像演算装置２２２により再構成された断層像は、操作卓４へ送出され、操作卓記憶装置４０３に記憶されるとともに操作卓表示装置４０７に表示される。
記憶装置２２３は、ハードディスク等により構成されるものであり、システム制御装置２２１に接続される。記憶装置２２３には、データ収集装置２０６が収集した投影データ２２４が記憶される。
【００１９】
操作卓４は、操作卓制御装置４０１、操作卓記憶装置４０３、操作卓表示装置４０７、及び操作装置４０８を備える。
【００２０】
操作卓制御装置４０１は、ＣＰＵ、ＲＯＭ、ＲＡＭ等により構成され、操作装置４０８、操作卓表示装置４０７、及び操作卓記憶装置４０３の各部を制御する。また、操作卓制御装置４０１は、スキャナ２内のシステム制御装置２２１に接続される。
操作卓制御装置４０１は、操作卓表示装置４０７に撮影条件を設定するための撮影条件設定画面１２（図８（ｃ）参照）を表示し、撮影条件の設定・変更を受け付ける。操作装置４０８によって撮影条件設定画面１２の各パラメータ設定欄にパラメータ値が入力されると、操作卓制御装置４０１は、入力されたパラメータ値を撮影条件としてシステム制御装置２２１へ送信する。本実施の形態の撮影条件設定画面１２の具体例は後述する。
【００２１】
操作卓表示装置４０７は、液晶パネル、ＣＲＴモニタ等のディスプレイ装置と、ディスプレイ装置と連携して表示処理を実行するための論理回路で構成され、操作卓制御装置４０１に接続される。操作卓表示装置４０７はシステム制御部２２０の画像演算装置２２２から出力される再構成画像、並びに操作卓制御装置４０１が取り扱う種々の情報を表示する。
操作装置４０８は、例えば、キーボード、マウス等のポインティングデバイス、テンキー等の入力装置、及び各種スイッチボタン等により構成され、操作者によって入力される各種の指示や情報を操作卓制御装置４０１に出力する。操作者は、操作卓表示装置４０７及び操作装置４０８を使用して対話的にＸ線ＣＴ装置１を操作する。
【００２２】
操作卓記憶装置４０３には、撮影プロトコルデータ４０４が記憶される。撮影プロトコルデータ４０４は、Ｘ線ＣＴ装置１が実行する撮影プロトコル毎に初期パラメータ値等を設定したデータ群であり、予め記憶される。撮影プロトコルデータ４０４の各データは、操作装置４０８から入力された値としてもよい。
撮影プロトコルデータ４０４には、スキャンプロトコル管理テーブル５（図２）、グループ別パラメータテーブル６（図３）、関連パラメータテーブル７（図４）、パラメータ管理テーブル８（図５）、及びパラメータ値候補定義ファイル９（図６）、設定可能制御管理ファイル（不図示）等が含まれる。
システム制御装置４０１は、操作装置４０８から入力される指示に従って、所望の撮影プロトコルに関する撮影プロトコルデータ４０４を操作卓記憶装置４０３から読み出し、パラメータ値をＸ線制御装置２０２、寝台制御装置３０１、ガントリ制御装置２０９、画像演算装置２２２、操作卓表示装置４０７等へ出力する。
【００２３】
次に、図２〜図６を参照して、Ｘ線ＣＴ装置１の保持する撮影プロトコルデータ４０４について説明する。
撮影プロトコルは、大別して、スキャンプロトコルとスキャノプロトコルから構成され、各プロトコルについて、プロトコル名と主要な撮影条件（パラメータ）の値が予め設定されている。例えば、図２に示すスキャンプロトコル管理テーブル５では、スキャンの主要撮影条件として、部位Ｎｏ．と管電流（ｍＡ）、管電圧（ｋＶ）、スキャン数、画像枚数、ＦＯＶ、コリメーション、画像スライス厚等の複数のパラメータの値がプロトコル毎に設定されている。スキャノプロトコルについても同様に、主要な撮影条件がプロトコル毎に設定される。
【００２４】
また、本実施の形態の撮影プロトコルデータ４０４には、図３に示すグループ別パラメータテーブル６が含まれる。
グループ別パラメータテーブル６とは、Ｘ線ＣＴ装置１で扱う全パラメータをグループ毎に分類して管理するテーブルである。グループは、複数のパラメータを例えば変更目的等に応じて分類したものとする。具体的には、「スキャン」、「撮影範囲」、「Ｘ−ｒａｙ」、「造影」、「リコン」、「ユーザ」等の複数のグループに各パラメータが分類される。各グループには、１または複数のパラメータが属する。グループ内の各パラメータはプロトコル毎に同じとした方が好適な場合もあるし、異なることとした方が好適な場合もあるので、プロトコル毎にグループ内のパラメータが設定されることが望ましい。また、同じグループ内のパラメータが、パラメータ設定時に同じページ（表示画面）内に表示されるため、グループの分類はパラメータ設定時の操作性が考慮されることが望ましい。
【００２５】
例えば、図３に示すグループ別パラメータテーブル６は、各グループｇ２，ｇ３，ｇ４，・・・毎に用意される。グループｇ１が「Ｘ−ｒａｙ」のグループの場合、その内容は、管電圧（ｋＶ）、管電流（ｍＡ）、スキャン時間（ｓｅｃ）等のパラメータの種類とその推奨値またはデフォルト設定値が、プロトコル毎に記憶される。同様に他のグループｇ２，ｇ３，ｇ４，・・・についてもパラメータの種類とその推奨値またはデフォルト設定値が、プロトコル毎に記憶される。
なお、どのパラメータがどのグループに属するかを、操作者が自在に設定できるようにしてもよい。この場合は、グループ登録画面にて、新規グループの登録や、グループ内のパラメータの変更等を受け付けるようにすることが望ましい。
【００２６】
図４の関連パラメータテーブル７は、あるパラメータに対して関連するパラメータを定義するテーブルである。各パラメータについて、関連パラメータ数７２と、関連パラメータ７３，７４，７５，・・・が関連性の大きさ順に設定されている。関連パラメータ７３〜７５のデータ内容は、パラメータＮｏ．を示す数値である。パラメータＮｏ．は各パラメータの識別番号であり、図５に示すパラメータ管理テーブル８において管理されている。
【００２７】
図４及び図５に示すように、例えば、パラメータＮｏ．「１」のパラメータ「リコンピッチ」については、関連するパラメータ数は「４」つであり、関連パラメータは、「２（スライス厚）」、「３（造影情報）」、「５（コリメーション）」等である。また、パラメータＮｏ．「２」のパラメータ「スライス厚」については、関連するパラメータ数は「４」つであり、関連パラメータは、「１（リコンピッチ）」、「３（造影情報）」、「５（コリメーション）」等である。
【００２８】
図６は、パラメータ値候補定義ファイル９を示す。パラメータ値候補定義ファイル９には、パラメータ毎にタグ名と値（１つの値またはカンマ区切りで列挙した値）とが定義される。後述する撮影条件設定処理において、パラメータ値候補定義ファイル９が読み込まれ、タグ名をキーとして設定可能な候補値が取得されることとなる。
例えば、「タグ名ｎｓ＿ｍａ０８０＝１０，２５，５０，１００，１５０，２００，・・・」は、ノーマルスキャンで管電圧８０ｋＶのときの管電流（ｍＡ）の候補値は「１０，２５，５０，１００，１５０，２００，・・・」であることを意味する。
【００２９】
次に、図７〜図８を参照して、医用画像撮影装置１の動作について説明する。
本実施の形態の医用画像撮影装置１の操作卓制御装置４０１は、図７のフローチャートに示す手順で撮影条件設定処理を実行する。すなわち、操作卓制御装置４０１は、操作卓記憶装置４０３から撮影条件設定処理に関するプログラム及びデータを読み出し、このプログラム及びデータに基づいて処理を実行する。
【００３０】
操作卓制御装置４０１は、撮影プロトコルデータ４０４を操作卓記憶装置４０３から読み込む（ステップＳ１０１）。そして、検査部位毎の撮影プロトコルを被検者登録画面１１へ一覧表示し、選択操作を受け付ける（ステップＳ１０２）。
【００３１】
図８（ａ）に被検者登録画面１１の一例を示す。
被検者登録画面１１には、被検者情報１１ａと、検査部位一覧１１ｂと、プロトコル一覧１１ｃと、選択されたプロトコルについての主要パラメータ値１１ｄとが表示される。
被検者登録画面１１への表示内容は、例えば図２に示すスキャンプロトコル管理テーブル５等に設定されており、このスキャンプロトコル管理テーブル５等の内容が例えば図８（ａ）に示す表示形式で表示される。
【００３２】
所望の撮影プロトコルがプロトコル一覧１１ｃから選択されると、操作卓制御装置４０１は、選択された撮影プロトコルの詳細な内容を示す撮影条件設定画面１２を表示する（ステップＳ１０３）。
図８（ｂ）、（ｃ）は撮影条件設定画面１２の表示例である。撮影条件設定画面１２は、例えば図８（ｂ）に示すように、被検者登録画面１１上に別ウィンドウで表示される。また、図８（ｃ）に示すように、撮影条件設定画面１２には、グループ毎に複数のパラメータ設定欄１２ｃ，１２ｅ，１２ｇ，１２ｉ，１２ｋ，１２ｍ，１２ｎが設けられ、各設定欄１２ｃ，１２ｅ，１２ｇ，１２ｉ，１２ｋ，１２ｍ，１２ｎに対してパラメータ値を入力できるようになっている。
また、各パラメータの名称がパラメータ設定欄１２ｃ，１２ｅ，１２ｇ，１２ｉ，１２ｋ，１２ｍ，１２ｎとともに表示されている。図８（ｃ）の例では、パラメータ値の名称が、パラメータボタン１２ｂ，１２ｄ，１２ｆ，１２ｈ，１２ｊ，１２ｌに表示される。パラメータボタン１２ｂ，１２ｄ，１２ｆ，１２ｈ，１２ｊ，１２ｌは、パラメータ値の候補データ表示画面１３へ遷移するために操作されるボタンである。
【００３３】
撮影条件設定画面１２のタブ１２ａは、グループを示すものである。図８（ｃ）の例では、「ユーザ」、「リコン」、「造影」、「Ｘ−ｒａｙ」、「撮影範囲」、「スキャン」のタブ１２ａが設けられている。各タブ１２ａを選択すると、各タブ１２ａのグループに分類されている複数のパラメータが表示される。
パラメータのグループは、図２に示すグループ別パラメータテーブル６に設定されている。
【００３４】
撮影条件設定画面１２において、いずれかのパラメータボタン１２ｂ，１２ｄ，１２ｆ，１２ｈ，１２ｊ，１２ｌがクリック操作により選択されると（ステップＳ１０４；Ｙｅｓ）、操作卓制御装置４０１は、選択されたパラメータ（選択パラメータ）の候補データと、選択パラメータに関連する関連パラメータ、及びその候補データを取得し、表示する（ステップＳ１０５、ステップＳ１０６）。
選択パラメータに対する関連パラメータは、図４の関連パラメータテーブル７に定義されている。関連パラメータテーブル７には、各パラメータの属するグループのみならず、他のグループのパラメータも関連付けられている。そのため、図８（ｄ）に示すように、異なるグループに属するパラメータであっても選択パラメータに関連するパラメータが同じ表示画面内に表示される。
【００３５】
各パラメータの候補データは、図６のパラメータ値候補定義ファイル９に定義されている。
また、各パラメータの推奨値や、設定可能な範囲は、設定可能制御管理ファイル（不図示）に予め定義されており、操作卓制御装置４０１に読み込まれているものとする。
【００３６】
図８（ｄ）は、候補データ表示画面１３，１４の表示例である。
図８（ｄ）に示すように、選択パラメータの候補データは候補データ表示画面１３（右エリア）に表示され、関連パラメータとその候補データは、候補データ表示画面１４（左エリア）に表示される。
操作卓制御装置４０１は、選択パラメータ及び関連パラメータのパラメータ値候補定義ファイル９に定義されている候補データを数値一覧、プルダウンリスト、またはボタン等の形式で表示する。
候補データが複数ある場合、または設定可能範囲が定められている場合は、候補データの推奨値を識別可能に表示する。また、あるパラメータの値を基準に他のパラメータの選択可能な候補データを明示したり、選択可能な候補データの中から推奨値を明示したりすることが望ましい。
【００３７】
図８（ｄ）の例では、枠内をドットで示した候補データが選択中を示し、太線で示した候補データが推奨値であることを示している。また、左エリア１４から右エリア１３への矢印１５は、関連パラメータの選択中の値を基準として考慮した選択パラメータの候補データを示す。また、右エリア１３から左エリア１４への矢印１６は、選択パラメータを基準として考慮した関連パラメータの候補データを示している。
【００３８】
すなわち、図８（ｄ）では、関連パラメータ「スライス厚」の候補データＡ，Ｂ，Ｃのうち、Ａを選択した場合、選択パラメータ「コリメーション」の候補データのうちＤまたはＥが選択可能であり、Ｄが推奨値であることを示している。
また、選択パラメータ「コリメーション」の候補データＥから関連パラメータ「スライス厚」を考慮した場合は、ＡまたはＢが選択可能であり、Ａが推奨値であることを示している。
【００３９】
なお、図８（ｄ）では、選択パラメータと関連パラメータとの候補データ間の関連を矢印１５、１６で示しているが、色分け表示してもよい。例えば、選択パラメータを基準とした関連パラメータの選択可能な候補データを緑、関連パラメータを基準とした選択パラメータの選択可能な候補データを黄とする等、色を分けて表示した場合には、選択パラメータと関連パラメータの表示位置によらずに簡素な画面構成で見やすく候補データ間の関連性を明示できる。
【００４０】
図８（ｄ）の候補データ表示画面１３，１４において、「所要時間」ボタン１７がクリックされると、操作卓制御装置４０１は、設定されたパラメータ値（撮影条件）に基づいて検査の所要時間を算出する。また、「閉じる」ボタン１８がクリックされると、操作卓制御装置４０１は、候補データ表示画面１３，１４を閉じて元の画面（撮影条件設定画面１２または被検者登録画面１１等）を表示する。また、「設定」ボタン１９がクリックされると（ステップＳ１０７；Ｙｅｓ）、操作卓制御装置４０１は、設定されたパラメータ値をシステム制御装置２２１へ送信し（ステップＳ１０８）、撮影条件設定処理を終了する。
【００４１】
以上説明したように、本実施の形態の医用画像撮影装置（Ｘ線ＣＴ装置）１は、グループ毎にパラメータの設定欄を表示した撮影条件設定画面１２を表示し、設定欄に対する各パラメータ値の入力を受け付ける。また、パラメータ設定欄のうち１のパラメータが選択されると、選択パラメータに関連する関連パラメータの設定欄を同じ表示画面内（候補データ表示画面の右エリア１３、左エリア１４）に表示する。
このため、設定対象とするパラメータがグループに分類されて表示されるため、多くのパラメータの中からパラメータを探すためのページ送り等の操作を行なう必要がなくなり、作業が容易となる。これにより作業時間を短縮できる。
更に、表示されたパラメータの中からパラメータを選択すれば、関連のあるパラメータが他のグループからも呼び出され、同じ表示画面内に表示されるため、あるパラメータの変更に伴って同時に変更しておかなければならないパラメータについての変更のし忘れを防ぐことができる。また、同じ表示画面上で関連パラメータの変更を行なうこともできるため、設定作業が簡単である。
【００４２】
また、選択パラメータの値を基準として考慮した関連パラメータの候補データ（候補値、設定可能範囲、または推奨値）と、関連パラメータの値を基準として考慮した選択パラメータの候補データ（候補値、設定可能範囲、または推奨値）とをともにガイド表示するので、操作者は表示されたガイド（矢印１５，１６）等に従って提示されたパラメータ値を選択すればよいこととなり、パラメータ値の設定操作が容易となる。
特に、経験の浅い医師等が急な対応を余儀なくされた場合等に、人為的なミスの発生を最小限に抑えることができる。
【００４３】
なお、上述の実施の形態における各表示画面は一例であり、本発明はこれに限定されるものではない。例えば、撮影条件設定画面１２の各グループはタブ１２ａで選択可能としているがこれに限定されるものではなく、グループを一覧表示したグループ選択エリアと選択されたグループ内のパラメータが表示されるエリアとを備えた画面構成としてもよい。
また、グループ内のパラメータの分類や名称、候補データの内容等は一例であり、これらに限定されるものではない。
【００４４】
［第２の実施の形態］
次に、図９、図１０を参照して、本発明の第２の実施の形態のＸ線ＣＴ装置１について説明する。なお、第２の実施の形態のＸ線ＣＴ装置１において、第１の実施の形態のＸ線ＣＴ装置１と同一の各部については同一の符号を付し、説明を省略する。
【００４５】
第２の実施の形態のＸ線ＣＴ装置１は、設定された撮影条件から被曝線量を算出し、被曝線量を低減するための各パラメータ値の目標値を提示したり、被曝線量が上限を上回る場合は警告を提示したりする。このために、Ｘ線ＣＴ装置１の操作卓制御装置４０１は、第１の実施の形態のＸ線ＣＴ装置１の構成に加え、被曝線量管理テーブルを備える。
【００４６】
被曝線量管理テーブルとは、検査部位毎に被曝線量の上限値と各被曝線量に関連するパラメータの低減目標値とを定義したテーブルである。被曝線量に関連するパラメータには、例えば、管電流（ｍＡ）、管電圧（ｋＶ）、及びスキャン時間が含まれるものとする。被曝線量の上限値は被検者の年齢、性別、体格、職業等が考慮されてもよい。
【００４７】
また、第２の実施の形態のＸ線ＣＴ装置１は、図７に示す撮影条件設定処理のステップＳ１０１〜ステップＳ１０４と同様の処理を行った後に、図９のフローチャートに示す処理を開始する。
【００４８】
すなわち、操作卓制御装置４０１は、撮影プロトコルデータ４０４を操作卓記憶装置４０３から読み込み（ステップＳ１０１）、検査部位毎の撮影プロトコルを被検者登録画面１１（図８（ａ）参照）へ一覧表示し、選択操作を受け付ける（ステップＳ１０２）。所望の撮影プロトコルがプロトコル一覧１１ｃから選択されると、操作卓制御装置４０１は、選択された撮影プロトコルの詳細な内容を示す撮影条件設定画面１２（図８（ｃ）参照）を表示する（ステップＳ１０３）。撮影条件設定画面１２において、パラメータボタンが操作され、被曝線量に関連するパラメータ（ｍＡ、ｋＶ、スキャン時間等）が選択されると（ステップＳ１０４；Ｙｅｓ）、図９のステップＳ２０１へ移行する。
【００４９】
操作卓制御装置４０１は、まず、この段階で設定されている撮影条件（パラメータ値）から被曝線量を算出する（ステップＳ２０１）。算出される被曝線量は、例えば、ＣＴＤＩｖｏｌ（Ｃｏｍｐｕｔｅｄ  Ｔｏｍｏｇｒａｐｈｙ  Ｄｏｅｓ  Ｉｎｄｅｘ）、ＤＬＰ（Ｄｏｅｓ−Ｌｅｎｇｔｈ  Ｐｒｏｄｕｃｔ  ｆｏｒ  ａ  Ｃｏｍｐｌｅｔｅ  ｅｘａｍｉｎａｔｉｏｎ）のような指標値とすればよい。またいずれの指標値を用いて被曝線量を算出するかを操作者が選択可能としてもよい。
【００５０】
また、被曝線量の上限値と低減目標値とを被曝線量管理テーブルより取得する（ステップＳ２０２）。そして操作卓制御装置４０１は、選択されている撮影プロトコルに応じて変更可能な範囲のパラメータ値の候補データを、図６に示すパラメータ値候補定義ファイル９から読み出して図１０に示すような候補データ表示画面２１に表示し（ステップＳ２０３）、また、被曝線量に関連するパラメータについては、推奨するパラメータ値を推奨色で表示する（ステップＳ２０４）。推奨するパラメータ値は、被曝線量管理テーブルの低減目標値によって決定される。
【００５１】
更に、操作卓制御装置４０１は、ステップＳ２０１にて計算した被曝線量が被曝線量管理テーブルに定められている上限値より大きいか否かを判定し（ステップＳ２０５）、上限値を超える場合には（ステップＳ２０５；Ｙｅｓ）、被曝線量に関連するパラメータ値（ｍＡ、ｋＶ、スキャン時間等）を警告色に変更する（ステップＳ２０６）。
【００５２】
第２の実施の形態における候補データ表示画面２１は、図１０に示すように、被曝線量を計算する際にクリック操作される「ＣＴＤＩｖｏｌ」ボタン２１ａ、「ＤＬＰ」ボタン２１ｂと、各パラメータのボタン２１ｃ、２１ｄ、２１ｅと、各パラメータに対する１または複数の候補データとが表示される。
また、候補データは太線２２で囲まれたものが推奨データであることを示し、斜線２３は警告色であることを示している。またドット表示された候補データ２４は、選択中のデータを示している。
【００５３】
候補データ表示画面２１を参照することにより、被曝線量を考慮した場合に推奨される候補データや、避けたほうがよい候補データ（警告色で示される）を確認できるようになる。
また、候補データ表示画面２１にてパラメータ値が設定されると（ステップＳ２０７；Ｙｅｓ）、操作卓制御装置４０１は被曝線量を再計算する（ステップＳ２０８）。このとき、「ＣＴＤＩｖｏｌ」ボタン２１ａまたは「ＤＬＰ」ボタン２１ｂのクリック操作によって、所望の被曝線量の指標値が選択されてもよい。操作卓制御装置４０１は、計算した被曝線量が上限値より大きいか否かを再度判定し（ステップＳ２０５）、上限値を超える場合には（ステップＳ２０５；Ｙｅｓ）、被曝線量に関連するパラメータ値（ｍＡ、ｋＶ、スキャン時間等）を警告色に変更し（ステップＳ２０６）、上限値以下となる場合は、設定されたパラメータ値をシステム制御装置２２１へ送信し（ステップＳ２０９）、第２の実施の形態の撮影条件設定処理を終了する。
【００５４】
なお、候補データ表示画面２１と同じ表示画面内に、被曝線量に関するパラメータ（ｍＡ、ｋＶ、スキャン時間等）の関連パラメータを更に表示するようにしてもよい。この場合の処理は、図７のステップＳ１０５〜ステップＳ１０６と同様に行なわれる。
【００５５】
以上説明したように、第２の実施の形態のＸ線ＣＴ装置１は、被曝線量に関連するパラメータが選択されると、その他の被曝線量に関連するパラメータが同じ表示画面内に表示される。そして、設定されたパラメータ値に基づいて被曝線量を算出し、算出された被曝線量に基づいて、各パラメータの被曝線量低減目標値を提示したり、算出された被曝線量が所定の上限値を超える場合には警告したりする。
従って、撮影条件を設定する際に、被曝線量を低減させることを操作者に常に意識させることができ、被検者の検査負担を軽減することができる。
【００５６】
［第３の実施の形態］
次に、図１１を参照して、本発明の第３の実施の形態のＸ線ＣＴ装置１について説明する。なお、第３の実施の形態のＸ線ＣＴ装置１において、第１の実施の形態のＸ線ＣＴ装置１と同一の各部については同一の符号を付し、説明を省略する。
【００５７】
第３の実施の形態のＸ線ＣＴ装置１は、ジェネレータオーバーロードを自動修正する機能を備える。
ジェネレータオーバーロードとは、電源が耐えられる上限値を超えることである。ジェネレータオーバーロードの発生は、管電流（ｍＡ）、管電圧（ｋＶ）、スキャン時間等の値に応じたものとなる。Ｘ線管の陽極の１点にあたるＸ線の強さに応じてこれらのパラメータの上限値が変わる。すなわち、Ｘ線焦点を、大焦点から小焦点へ変更すると、同じ管電流及び管電圧でもジェネレータオーバーロードとなることがある。
【００５８】
例えば、焦点サイズを変更してジェネレータオーバーロードになった場合に、どのパラメータ値をどのくらいまで変更すればよいのかを操作者が把握しやすくする必要がある。また、ジェネレータオーバーロードを避けるため、あるパラメータの値を変更すると、他のパラメータの値を変更する必要が出てくる場合がある。このとき、変更対象パラメータが全て自動で修正されれば操作者のパラメータ設定操作が非常に容易となる。
【００５９】
このため、第３の実施の形態のＸ線ＣＴ装置１は、図１１に示す自動修正処理を実行する。
図１１に示すように、Ｘ線ＣＴ装置１の操作卓制御装置４０１は、撮影条件設定画面１２（図８（ｃ））等において、焦点サイズが大（Ｌａｒｇｅ）から小（Ｓｍａｌｌ）に変更されると（ステップＳ３０１；Ｙｅｓ）、この段階で設定されているスキャン時間と管電圧を取得する（ステップＳ３０２）。また、焦点サイズが小（Ｓｍａｌｌ）の時のジェネレータオーバーロード限界管電流Ｘｓｍａｌｌ（ジェネレータオーバーロードとならない最大管電流値）を取得する（ステップＳ３０３）とともに、操作者が設定した管電流Ｘｎｅｗを取得する（ステップＳ３０４）。
【００６０】
操作卓制御装置４０１は、Ｘｓｍａｌｌ＜Ｘｎｅｗを判定する（ステップＳ３０５）。
Ｘｓｍａｌｌ＜Ｘｎｅｗの場合は（ステップＳ３０５；Ｙｅｓ）、ＸｎｅｗをＸｓｍａｌｌに変更し（ステップＳ３０６）、管電流を変更した旨を通知する（ステップＳ３０７）。
Ｘｓｍａｌｌ＜Ｘｎｅｗでない場合は（ステップＳ３０５；Ｎｏ）は、操作者が設定した管電流値でジェネレータオーバーロードは発生しないため、自動修正せず、処理を終了する。
【００６１】
なお、上述の自動修正処理は、焦点サイズの変更に伴う管電流値の自動修正を例として説明しているが、管電流値を固定し、管電圧値を自動修正してもよい。その他、管電流値や管電圧値の変更に伴って、更に変更が必要なパラメータの値を修正するようにしてもよい。この場合の修正候補データは、図６に示すパラメータ値候補定義ファイル９に設定されているものとする。
【００６２】
以上説明したように、第３の実施の形態のＸ線ＣＴ装置１によれば、パラメータ値の変更に伴って、ジェネレータオーバーロードが発生するか否かを判定し、ジェネレータオーバーロードが発生すると判定された場合は、関連のあるパラメータの値をジェネレータオーバーロードを回避する値に修正し、修正されたパラメータとその値を通知する。
従って、パラメータ値の変更に伴うジェネレータオーバーロードを回避するため、他のパラメータ値の自動修正が行なわれるので、パラメータ値の変更操作が容易となる。
【００６３】
［第４の実施の形態］
次に、図１２を参照して、本発明の第４の実施の形態のＸ線ＣＴ装置１について説明する。なお、第４の実施の形態のＸ線ＣＴ装置１において、第１の実施の形態のＸ線ＣＴ装置１と同一の各部については同一の符号を付し、説明を省略する。
【００６４】
第４の実施の形態のＸ線ＣＴ装置１は、音声出力タイミング通知機能を備える。
Ｘ線ＣＴ装置１には、撮影中の各タイミングで被検者のために自動ガイド音声を出力するものがあるが、撮影中のどのタイミングでどのような音声が出力されているのかを、操作室内の操作者が把握しにくいことがあった。出力するガイド音声の内容や出力タイミングは、撮影プロトコルに応じて決定されるものであり、従って撮影条件設定時に自動ガイド音声のＯＮ／ＯＦＦが操作者によって設定される。
【００６５】
そこで、第４の実施の形態のＸ線ＣＴ装置１では、撮影条件設定時に、撮影の進捗状況を示すタイムチャート４１を操作卓表示装置４０７に表示させ、更にそのタイムチャート４１上に自動ガイド音声の出力タイミングや出力メッセージ等を表示する。
【００６６】
具体的には、Ｘ線ＣＴ装置１の操作卓制御装置４０１は、第１〜第３の各実施の形態と同様に撮影条件を設定するが、自動ガイド音声が「ＯＮ」に設定された場合は、設定された他の撮影条件に基づいて、自動ガイド音声の出力タイミング、出力時間、メッセージ内容を取得する。そして、取得した自動ガイド音声の出力タイミング、出力時間、メッセージ内容を撮影の進捗を示すタイムチャート４１に表示する。
【００６７】
図１２は、タイムチャート４１の一例である。タイムチャート４１には、自動ガイド音声を示すマーク４３と、その出力タイミング４２、４６、４８と、を示すとともに、各出力タイミングにおけるメッセージ内容４５が表示される。例えば、出力タイミング４２におけるメッセージ内容４５が、「息を吸って、止めてください」のように表示される。
【００６８】
第４の実施の形態のＸ線ＣＴ装置１によれば、撮影中に再生される自動ガイド音声の内容やタイミングが、撮影条件の設定を行っている際に操作卓表示装置４０７に表示される。従って、操作者は撮影前に撮影中の音声内容を把握できるようになる。
【００６９】
以上、本発明に係る医用画像撮影装置（Ｘ線ＣＴ装置）の好適な実施形態について説明したが、本発明は、上述の実施形態に限定されるものではない。被検体全体をカバーするワイドファンビームを照射しつつＸ線管とＸ線検出器とが一体となり回転する回転−回転方式（Ｒｏｔａｔｅ−Ｒｏｔａｔｅ方式）、電子ビームを電気的に偏向させながらターゲット電極に当てる電子ビーム走査方式（Ｓｃａｎｎｉｎｇ  Ｅｌｅｃｔｒｏｎ  Ｂｅａｍ方式）、その他の方式のものがあるが、本発明はいずれの方式のＸ線ＣＴ装置にも適用可能である。また、上述の実施の形態では、ガントリータイプのＸ線ＣＴ装置について説明したがＣアーム型のＸ線ＣＴ装置でもよい。また、当業者であれば、本願で開示した技術的思想の範疇内において、各種の変更例または修正例に想到し得ることは明らかであり、それらについても当然に本発明の技術的範囲に属するものと了解される。
【符号の説明】
【００７０】
１・・・・・Ｘ線ＣＴ装置（医用画像撮影装置）
２・・・・・スキャナ
２００・・・ガントリ部
２０１・・・Ｘ線管（Ｘ線源）
２０２・・・Ｘ線制御装置
２０４・・・開口部
２０５・・・Ｘ線検出器
２０６・・・データ収集装置
２０７・・・回転板
２０９・・・ガントリ制御装置
２２０・・・システム制御部
２２１・・・システム制御装置
２２２・・・画像演算装置
２２３・・・記憶装置
３・・・・・寝台
３０１・・・寝台制御装置
４・・・・・操作卓
４０１・・・操作卓制御装置
４０３・・・操作卓記憶装置
４０７・・・操作卓表示装置
４０８・・・操作装置
５・・・・・スキャンプロトコル管理テーブル
６・・・・・グループ別パラメータテーブル
７・・・・・関連パラメータテーブル
８・・・・・パラメータ管理テーブル
９・・・・・パラメータ値候補定義ファイル
１１・・・・被検者登録画面
１２・・・・撮影条件設定画面
１３・・・・候補データ表示画面（選択パラメータ）
１４・・・・候補データ表示画面（関連パラメータ）
２１・・・・候補データ表示画面（被曝線量を考慮した候補値）
４１・・・・タイムチャート
【図１】
0005484964.tif 000002
【図２】
0005484964.tif 000003
【図３】
0005484964.tif 000004
【図４】
0005484964.tif 000005
【図５】
0005484964.tif 000006
【図６】
0005484964.tif 000007
【図７】
0005484964.tif 000008
【図８】
0005484964.tif 000009
【図９】
0005484964.tif 000010
【図１０】
0005484964.tif 000011
【図１１】
0005484964.tif 000012
【図１２】
0005484964.tif 000013